(57)【特許請求の範囲】
【請求項１】
タイヤを加硫成型するタイヤ加硫金型において、
タイヤのサイドウォール部を成型するサイド成型面を有する上下一対のサイドモールドを備え、
前記サイドモールドは、サイドモールド本体と、複数のピースと、前記サイドモールド本体と前記ピースとの間に形成された隙間とを備え、
前記サイドモールド本体は、タイヤ周方向及びタイヤ径方向に閉塞し、前記サイド成型面に開口する凹部をタイヤ周方向に間隔をあけて複数備え、
前記ピースは、前記凹部に嵌まり前記サイドモールド本体とともに前記サイド成型面を形成し、
前記隙間の少なくとも一部は、前記サイド成型面に開口し、
前記サイドモールド本体は、平板状の基部と、タイヤ周方向に隣り合う前記凹部の間において前記基部から突出する凸部と、前記凹部の底部を前記基部の厚さ方向に貫通し前記隙間に重なるスリットを備えるタイヤ加硫金型。
【請求項２】
前記スリットは、タイヤ径方向又はタイヤ周方向のいずれかの方向に前記凹部より長く延びる請求項１に記載のタイヤ加硫金型。
【請求項３】
前記サイド成型面は、前記隙間に沿って設けられた溝を備える請求項１又は２に記載のタイヤ加硫金型。
【請求項４】
前記ピースは、タイヤ周方向の長さが異なる２種以上のピースを備える請求項１〜３のいずれか１項に記載のタイヤ加硫金型。
【請求項５】
前記サイド成型面は、線状の凹溝又は突条を備え、
前記隙間が、前記凹溝又は前記突条に平行に設けられている請求項１〜４のいずれか１項に記載のタイヤ加硫金型。
【請求項６】
前記凹部は、複数の前記ピースのうち１の前記ピースが嵌まり、他の前記ピースが当該凹部に嵌まるのを防止する誤装着防止形状を備える請求項１〜５のいずれか１項に記載のタイヤ加硫金型。
【請求項７】
タイヤのビード部を成型するビード成型面を有する上下一対のビードリングを備え、
前記凹部は、タイヤ径方向外側を区画する外側内壁面と、タイヤ径方向内側を区画する内側内壁面と、前記外側内壁面と前記内側内壁面との間においてタイヤ周方向一方側及び他方側を区画する一対の径方向内壁面とを備え、
前記隙間は、前記内側内壁面と前記ピースとの間に形成され、前記隙間のサイド成型面側の端部が前記ビードリングによって閉塞されている請求項１〜６のいずれか1項に記載のタイヤ加硫金型。
【発明の詳細な説明】
【技術分野】
【０００１】
本発明は、タイヤ加硫金型に関する。
【背景技術】
【０００２】
タイヤは、未加硫のグリーンタイヤを作製し、タイヤ加硫金型を用いてグリーンタイヤを所定形状に成型しつつ加硫することにより製造される。【０００３】
タイヤ加硫金型としては、タイヤのトレッド部を成型するトレッド成型面を有するトレッドモールドと、タイヤのサイドウォール部を成型するサイド成型面を有する上下一対のサイドモールドと、タイヤのビード部を成型するビード成型面を有する上下一対のビードリングと、を備えたものが知られている。【０００４】
このようなタイヤ加硫金型では、グリーンタイヤとの間に空気が溜まることにより、タイヤの外表面に凹み（ベア）等が形成される成型不良が生じることが知られている。このような成型不良は、ゴムボリュームが比較的小さいサイドウォール部を含むタイヤの側面で発生しやすい傾向がある。【０００５】
そこで、下記特許文献１では、タイヤ周方向に分割された複数のサイドセグメントをタイヤ周方向に連ねることによりリング状のサイドモールドを形成するタイヤ加硫金型が提案されている。このタイヤ加硫金型では、サイドセグメントの合わせ面によってタイヤ半径方向にのびる複数の隙間をサイド成型面に形成し、この隙間からグリーンタイヤとサイドモールドとの間に存在する空気を排出する。
【先行技術文献】
【特許文献】
【０００６】
【特許文献１】特開２０１２−１３５８９７号公報
【発明の概要】
【発明が解決しようとする課題】
【０００７】
しかしながら、上記のようなタイヤ加硫金型では、複数のサイドセグメント同士を連結してサイド成型面を備えるサイドモールドを形成するため、個々のサイドセグメントに存在する寸法誤差やサイドセグメントを連結する際に生じる組み付け誤差が累積する。そのため、グリーンタイヤとサイドモールドとの間に存在する空気を排出する隙間を精度良くサイド成型面に形成することが困難となり、隙間が広すぎてゴムがはみ出したり、あるいは、隙間が狭すぎて排気性能が不足してタイヤの外表面に凹みが生じる等の成型不良が発生しやすいという問題がある。【０００８】
本発明は、以上の点に鑑み、グリーンタイヤとサイドモールドとの間に存在する空気を排出する隙間をサイド成型面に精度良く設けることができ、成型不良を抑えることができるタイヤ加硫金型を提供することを目的とする。
【課題を解決するための手段】
【０００９】
本発明に係るタイヤ加硫金型は、タイヤを加硫成型するタイヤ加硫金型において、タイヤのサイドウォール部を成型するサイド成型面を有する上下一対のサイドモールドを備え、前記サイドモールドは、サイドモールド本体と、複数のピースと、前記サイドモールド本体と前記ピースとの間に形成された隙間とを備え、前記サイドモールド本体は、タイヤ周方向及びタイヤ径方向に閉塞し、前記サイド成型面に開口する凹部をタイヤ周方向に間隔をあけて複数備え、前記ピースは、前記凹部に嵌まり前記サイドモールド本体とともに前記サイド成型面を形成し、前記隙間の少なくとも一部は、前記サイド成型面に開口し、前記サイドモールド本体は、平板状の基部と、タイヤ周方向に隣り合う前記凹部の間において前記基部から突出する凸部と、前記凹部の底部を前記基部の厚さ方向に貫通し前記隙間に重なるスリットを備えるものである。
【００１０】
本発明の好ましい態様において、前記スリットは、前記隙間に沿った方向に前記凹部より長く延びることが好ましい。
【００１１】
本発明の好ましい態様において、前記サイド成型面は、前記隙間に沿って設けられた溝を備えることが好ましい。
【００１２】
本発明の他の好ましい態様において、前記ピースは、タイヤ周方向の長さが異なる２種以上のピースを備えてもよい。【００１３】
本発明の他の好ましい態様において、前記サイド成型面は、線状の凹溝又突条を備え、前記隙間が、前記凹溝又は突条に平行に設けられてもよい。【００１４】
本発明の他の好ましい態様において、前記凹部は、複数の前記ピースのうち１の前記ピースが嵌まり、他の前記ピースが当該凹部に嵌まるのを防止する誤装着防止形状を備えてもよい。【００１５】
本発明の他の好ましい態様において、タイヤのビード部を成型するビード成型面を有する上下一対のビードリングを備え、前記凹部は、タイヤ径方向外側を区画する外側内壁面と、タイヤ径方向内側を区画する内側内壁面と、前記外側内壁面と前記内側内壁面との間においてタイヤ周方向一方側及び他方側を区画する一対の径方向内壁面とを備え、前記隙間は、前記内側内壁面と前記ピースとの間に形成され、前記隙間のサイド成型面側の端部が前記ビードリングによって閉塞されてもよい。
【発明の効果】
【００１６】
本実施形態のタイヤ加硫金型では、複数のピースがサイドモールド本体に設けられた凹部に嵌まってサイド成型面を形成し、ピース同士が直接的に連結されることがないため、サイドモールド本体とピースとの間に空気を排出する隙間をサイド成型面に精度良く設けることができ、成型不良を抑えることができる。
【図面の簡単な説明】
【００１７】
【図１】第１実施形態に係るタイヤ加硫金型の断面図。
【図２】サイドモールドを分解して示す断面斜視図。
【図３】サイドモールド本体の要部を拡大して示す平面図。
【図４】図３のＡ−Ａ断面図。
【図５】サイドモールドの断面斜視図。
【図６】サイドモールドの要部を拡大して示す平面図。
【図７】図６のＢ−Ｂ断面図。
【図８】図６のＣ−Ｃ断面図。
【図９】第２実施形態のタイヤ加硫金型のサイドモールドの要部拡大平面図。
【図１０】図９のＤ−Ｄ断面図。
【図１１】第３実施形態のタイヤ加硫金型のサイドモールドの要部拡大平面図。
【図１２】図１１のＥ−Ｅ断面図。
【発明を実施するための形態】
【００１８】
（第１実施形態）
以下、第１実施形態について図面を参照して説明する。
【００１９】
図１は、本実施形態に係るタイヤ加硫金型１０の断面図である。このタイヤ加硫金型１０は、タイヤ軸方向が上下になるようにセットされた未加硫のグリーンタイヤＴを加熱及び加圧により加硫成型する成型金型であり、トレッドモールド１２と、上下一対のサイドモールド１４、１５と、上下一対のビードリング１６，１７とを備える。
【００２０】
トレッドモールド１２は、タイヤのトレッド部を成型するトレッド成型面１２ａを有する金型である。トレッドモールド１２は、タイヤ周方向に分割された複数のセクタからなる。複数のセクタは、タイヤ放射方向（タイヤ径方向）に拡縮変位可能に設けられている。各セクタを型閉め位置に配置した型閉め状態では、タイヤ周方向に隣り合うセクタが、互いに寄り集まって環状をなしている。
【００２１】
グリーンタイヤＴの上方に位置する上側サイドモールド１４は、グリーンタイヤＴの上側のサイドウォール部を成型するサイド成型面１４ａを有するリング状の金型である。グリーンタイヤＴの下方に位置する下側サイドモールド１５は、グリーンタイヤＴの下側のサイドウォール部を成型するサイド成型面１５ａを有するリング状の金型である。
【００２２】
ビードリング１６は、上側サイドモールド１４のビードリング固定部１８に載置されボルトなどにより固定された上側ビードリングである。上側ビードリング１６は、グリーンタイヤＴの上側のビード部を成型するビード成型面１６ａを有する金型である。
【００２３】
ビードリング１７は、下側サイドモールド１５のビードリング固定部１９に載置されボルトなどにより固定された下側ビードリングである。下側ビードリング１７は、グリーンタイヤＴの下側のビード部を成型するビード成型面１７ａを有する金型である。
【００２４】
図２は、下側サイドモールド１５を分解して示す断面斜視図である。なお、上側サイドモールド１４及び下側サイドモールド１５は、サイド成型面１４ａとサイド成型面１５ａの形状が異なる場合があるが、いずれもサイドモールド本体２０、２１とピース２２，２３と、隙間２８、２９を備え基本的な構成が同一である。そのため、ここでは下側サイドモールド１５について説明し、上側サイドモールド１４について詳細な説明を省略する。
【００２５】
下側サイドモールド１５は、サイドモールド本体２１と、複数のピース２３と、サイドモールド本体２１とピース２３との間に形成された隙間２９とを備える。
【００２６】
サイドモールド本体２１は、アルミニウムやアルミニウム合金や鉄などの金属材料からなる平板リング状の基部２４を有している。基部２４のタイヤ径方向内側には、ビードリング１７を固定するビードリング固定部１９が設けられている。基部２４のタイヤ径方向外側には、タイヤ周方向に間隔を開けて設けられた複数の凹部２５と、タイヤ周方向に隣り合う凹部２５の間に設けられた基部２４から上方へ突出する複数の凸部２６と、凹部２５及び凸部２６のタイヤ径方向外側に設けられた環状突起３４とが設けられている。
【００２７】
凹部２５は、タイヤ周方向及びタイヤ径方向に閉塞し、平面視（タイヤ回転軸方向視）においてサイド成型面１５ａに開口する窪みであり、凹部２５の内部にピース２３が嵌め込まれている。
【００２８】
より詳細には、図３及び図４に示すように、凹部２５は、タイヤ径方向外側を区画するタイヤ周方向に延びる外側内壁面２５ａと、タイヤ径方向内側を区画するタイヤ周方向に延びる内側内壁面２５ｂと、外側内壁面２５ａと内側内壁面２５ｂとの間においてタイヤ周方向一方側及び他方側を区画する一対の径方向内壁面２５ｃ、２５ｃと、外側内壁面２５ａ及び一対の径方向内壁面２５ｃ、２５ｃを接続する曲面２５ｄ、２５ｄとを備える。
【００２９】
本実施形態では、外側内壁面２５ａ及び内側内壁面２５ｂは、いずれも水平断面がタイヤ回転軸を中心とする同心円の円弧からなる円弧面であり、径方向内壁面２５ｃ，２５ｃは、タイヤ径方向に延びる平面からなる。また、曲面２５ｄ、２５ｄは、水平断面が円弧からなる円弧面であり、例えば、曲率半径が１ｍｍ以上の円弧面であることが好ましい。
【００３０】
凹部２５のタイヤ径方向内側は、ビードリング固定部１９まで延びており、ビードリング固定部１９に固定されたビードリング１７によって上方が覆われるようになっている（図１参照）。
【００３１】
凹部２５の底面には、厚さ方向（上下方向）に基部２４を貫通するスリット２７が設けられている。スリット２７は、凹部２５をタイヤ周方向に区画する径方向内壁面２５ｃ、２５ｃに沿ってタイヤ径方向に延びる切れ込みである。スリット２７のタイヤ径方向外側は、凹部２５の内壁面の一部を構成する曲面２５ｄの位置で終端し、タイヤ径方向内側は凹部２５の内側内壁面２５ｂよりもタイヤ径方向内方まで延びている。また、スリット２７は、サイドモールド本体２１とピース２３との間に形成された隙間２９より幅広に設けられている。
【００３２】
凸部２６は、基部２４から上方へ突出する突起であり、ビードリング固定部１９からタイヤ径方向外方へ放射状に設けられている。凸部２６の上面には、サイド成型面１５ａの一部を構成する一部１５ａ１が設けられている。
【００３３】
環状突起３４は、基部２４から上方へ突出する周方向に切れ目無く繋がった環状の突起であり、複数の凸部２６のタイヤ径方向外側を連結するように設けられ、凹部２５のタイヤ径方向を閉塞している。環状突起３４の上面は、凹部２６に設けられたサイド成型面１５ａ１とともにサイド成型面１５ａの一部１５ａ２を構成する。なお、環状突起３４の幅（つまり、タイヤ径方向の長さ）Ｌは、任意の大きさに設定することができるが、環状突起３４の強度を確保する観点から１０ｍｍ以上とすることが好ましい。
【００３４】
ピース２３は、アルミニウムやアルミニウム合金や鉄などのサイドモールド本体２１と同じ金属材料で形成されている。ピース２３は、サイドモールド本体２１の凹部２５に嵌め込まれ、サイドモールド本体２１とともに図５に示すようなリング状の下側サイドモールド１５を形成する。凹部２５に嵌め込まれたピース２３は、サイドモールド本体２１に対してボルトなどにより固定されている。なお、本実施形態では、複数のピース２３はタイヤ周方向の長さが全て等しく設けられている。
【００３５】
ピース２３の上面は、サイド成型面１５ａの一部１５ａ３を構成し、サイドモールド本体２１の凸部２６に設けられたサイド成型面１５ａ１及び環状突起３４に設けられたサイド成型面１５ａ２とともにサイド成型面１５ａを形成する。
【００３６】
ピース２３は、タイヤ周方向及びタイヤ径方向の長さが凹部２５より若干小さく設けられている。そのため、ピース２３が凹部２５に嵌め込まれた状態で、ピース２３の周囲に隙間２９が形成されている。
【００３７】
具体的には、図６〜図８に示すように、凹部２５の径方向内壁面２５ｃ、２５ｃと、これらの内壁面２５ｃ、２５ｃとタイヤ周方向に対向するピース２３の側壁２３ａとの間にタイヤ径方向内側から外側へ延びる第１隙間２９ａが形成されている。凹部２５の外側内壁面２５ａと、この内壁面２５ａとタイヤ径方向に対向するピース２３の外周壁２３ｂとの間にタイヤ周方向へ延びる第２隙間２９ｂが形成されている。凹部２５の内側内壁面２５ｂと、この内側内壁面２５ｂとタイヤ径方向に対向するピース２３の内周壁２３ｃとの間にタイヤ周方向へ延びる第３隙間２９ｃが形成されている。また、凹部２５の曲面２５ｄと対向するピース２３の曲面２３ｄとの間に一定間隔の第４隙間２９ｄが形成されている。第１隙間２９ａ及び第２隙間２９ｂの端部同士が第４隙間２９ｄを介して繋がり、第１隙間２９ａ及び第３隙間２９ｃの端部同士が繋がっている。
【００３８】
ピース２３の周囲に形成された隙間２９ａ、２９ｂ、２９ｃ、２９ｄのうち、第１隙間２９ａ、第２隙間２９ｂ及び第４隙間２９ｄは、サイド成型面１５側の端部（下側サイドモールド１５では上端）がサイド成型面１５ａに開口している。第３隙間２９ｃは、サイド成型面１５側の端部（つまり、サイド成型面１５側に開口する開口端）がビードリング固定部１９に載置された下側ビードリング１７によって閉塞されている（図８参照）。なお、ピース２３の周囲に形成された隙間２９ａ、２９ｂ、２９ｃ、２９ｄは、その少なくとも一部がサイド成型面１５に開口していればよく、例えば、第１隙間２９ａ一部分のみが開口したり、全ての隙間２９ａ、２９ｂ、２９ｃ、２９ｄが開口してもよい。
【００３９】
第１隙間２９ａ下端は、凹部２５の底部に設けられたスリット２７と対向しスリット２７に繋がっている。この例では、スリット２７は、凹部２５をタイヤ周方向に区画する周方向壁２６ａに沿って設けられている。そのため、第１隙間２９ａは、タイヤ径方向全体にわたってスリット２７と上下に重なり、スリット２７と繋がっている。また、第２隙間２９ｂは、第１隙間２９ａ及び第４隙間２９ｄを介してスリット２７と繋がっている。
【００４０】
なお、上記のとおりスリット２７は、タイヤ径方向外側が凹部２５の曲面２５ｄの位置で終端し、タイヤ径方向内側が凹部２５の内側内壁面２５ｂよりもタイヤ径方向内方まで延びている。そのため、スリット２７は、第１隙間２９ａに沿った方向に凹部２５より長く延びている。
【００４１】
サイド成型面１５ａに開口する第１隙間２９ａ、第２隙間２９ｂ及び第４隙間２９ｄは、グリーンタイヤＴと下側サイドモールド１５との間に存在する空気を外部へ排出する排気隙間であり、サイド成型面１５ａにおける寸法が、空気は通過するが未加硫のゴムは進入しない程度の寸法に設定されている。一例を挙げると、サイド成型面１５ａにおける第１隙間２９ａの幅Ｗ１、第２隙間２９ｂの幅Ｗ２、及び第４隙間２９ｄの幅が０．０５ｍｍ以下であることが好ましく、０．０１〜０．０５ｍｍでもよく、０．０１〜０．０３ｍｍでもよい。
【００４２】
また、凹部２５の内側内壁面２５ｂとピース２３の内周壁２３ｃとの間で形成された第３隙間２９ｃは、サイド成型面１５側の端部が下側ビードリング１７によって閉塞されており、サイド成型面１５ａに開口していない。そのため、第３隙間２９ｃの幅Ｗ３は未加硫のゴムは進入しない程度の寸法に設定する必要はなく、第１隙間２９ａや第２隙間２９ｂや第４隙間２９ｄの幅Ｗ１，Ｗ２より第３隙間２９ｃの幅Ｗ３を大きく設定することができる。一例を挙げると、第３隙間２９ｃの幅Ｗ３が０．５ｍｍ以上で、かつ、第３隙間２９ｃが下側ビードリング１７によりタイヤ径方向内方に位置するように第３隙間２９ｃの幅寸法を設定することが好ましい。
【００４３】
スリット２７には不図示の排気経路に接続されており、グリーンタイヤＴと下側サイドモールド１５との間に存在する空気が、第１隙間２９ａ、第２隙間２９ｂ、第４隙間２９ｄ及びスリット２７を通って排気経路へ流れ込みタイヤ加硫金型の外部へ排出される。
【００４４】
なお、図７に示すように、ピース２３の上部（サイド成型面１５ａ２側の部分）はタイヤ周方向の長さが一定に設けられ、ピース２３の上下方向中央部及び下部は、下方に行くにしたがってタイヤ周方向の長さが漸次短くなるように、ピース２３の側壁２３ａが屈曲している。これにより、第１隙間２９ａの上部の幅Ｗ１は、空気は通過するが未加硫のゴムは進入しない程度の寸法に設定され、第１隙間２９の上下方向中央部から下部の幅が漸次広くなり、第１隙間２９の下端の幅が凹部２５の底部に設けられたスリット２７の幅と等しくなっている。
【００４５】
このような構成のタイヤ加硫金型１０では、下側サイドモールド１５が、サイドモールド本体２１と、凹部２５に嵌まるピース２３と、サイドモールド本体２１及びピース２３の間に形成されたサイド成型面１５ａに開口する第１隙間２９ａ、第２隙間２９ｂ及び第４隙間２９ｄとを備える。そのため、グリーンタイヤＴと下側サイドモールド１５との間に存在する空気を第１隙間２９ａ、第２隙間２９ｂ及び第４隙間２９ｄから外部へ排出することができ、タイヤ加硫金型１０内部に空気が残存することによる成型不良を抑えることができる。
【００４６】
また、サイドモールド１５は、複数のピース２３を組み合わせて構成されているが、全てのピース２３がサイドモールド本体２１に固定されており、複数のピース２３を固定する際に生じる取付位置の誤差が累積することがない。そのため、位置精度良くピース２３を取り付けることができ、サイドモールド本体２１とピース２３との間に形成された隙間２９の幅寸法を精度良く設定することができる。
【００４７】
また、本実施形態は、サイドモールド本体２１の凹部２５にピース２３を嵌め込み、凹部２５の外側内壁面２５ａとピース２３の外周壁２３ｂとの間や、凹部２５の径方向内壁面２５ｃとピース２３の側壁２３ａとの間に、シムテープと呼ばれる所定厚みを有するテープ状のスペーサーを挟んだ状態でピース２３をサイドモールド本体２１にボルトなどで固定し、その後スペーサーを取り除いてサイドモールド１５を組み立てることで、簡単に精度良く第１隙間２９ａ及び第２隙間２９ｂの幅を所定寸法に設定することができる。
【００４８】
しかも、本実施形態では、凹部２５の内側内壁面２５ｂとピース２３の内周壁２３ｃとの間で形成された第３隙間２９ｃの幅Ｗ３が、第１隙間２９ａの幅Ｗ１や第２隙間２９ｂの幅Ｗ２より大きく設定されている。そのため、凹部２５内でピース２３の位置を調整する際に第３隙間２９ｃが調整代となり、ピース２３や凹部２５の加工精度の影響をほとんど受けることなく、第１隙間２９ａ及び第２隙間２９ｂの幅を所定寸法に簡単に精度良く設定することができる。
【００４９】
また、本実施形態のサイドモールド本体２１では周方向に切れ目無く繋がった環状突起３４がタイヤ径方向外側に設けられているため、タイヤの外観上目立ちやすいバットレス領域（トレッド部とサイドウォール部との間に設けられた領域）を成型する部分に隙間２９が位置しない。そのため、隙間２９にはみ出したゴムにより形成される不要な突起がバットレス領域に形成されることがない。
【００５０】
また、グリーンタイヤＴを繰り返し加硫成型すると、加硫成型時に発生するガスに含まれる汚濁物質がサイドモールド１５の隙間２９に堆積するため、定期的にサイドモールド１５を清掃する必要がある。本実施形態では、サイドモールド本体２１に設けられたスリット２７が第１隙間２９ａと重なるように設けられているため、サイドモールド１５の組み立て時に使用したスペーサーのような所定厚みを有する清掃用シートをスリット２７及び第１隙間２９ａに挿入することで、ピース２３をサイドモールド本体２１から取り外すこと無く第１隙間２９ａに堆積した汚濁物質を簡単に除去することができる。
【００５１】
しかも、サイドモールド本体２１に設けられたスリット２７は、ピース２３が嵌まる凹部２５よりタイヤ径方向に長いため、清掃しにくい凹部２５の角部近傍にも清掃用シートを挿入して簡単に清掃することができる。
（第２実施形態）
図９及び図１０に基づいて本発明の第２実施形態について説明する。なお、上記の第１実施形態と同一の構成には同一符号を付し、詳細な説明を省略する。
【００５２】
上記した第１実施形態では、サイドモールド本体２１とピース２３との間に形成された第１隙間２９ａ及び第２隙間２９ｂのサイド成型面１５側の端部を、空気は通過するが未加硫のゴムは進入しない程度の寸法に設定したが、図９及び図１０に示すように、第１隙間２９ａと重なるようにサイド成型面１５ａに第１隙間２９ａより幅広の溝３０を設けても良い。この溝３０は、ソーカットやセレーションとも呼ばれ、例えば、断面形状が下方に行くほど細くなる三角形状をなしており、溝幅が０．３ｍｍ〜１ｍｍ、溝深さが溝幅の９０％〜１８０％の細溝である。
【００５３】
本実施形態によれば、第１隙間２９ａより幅広の溝３０が、第１隙間２９ａと重なるように第１隙間２９ａに沿わせてサイド成型面１５ａに設けられているため、グリーンタイヤＴと下側サイドモールド１５との間に存在する空気が外部へ排気されやすくなり、成型不良を抑えることができる。しかも、本実施形態のタイヤ加硫金型１０により成型されたタイヤには、溝３０により成型された突条模様が第１隙間２９ａに対応する位置に形成される。そのため、万一、サイド成型面１５ａから第１隙間２９ａにゴムがはみ出すことがあっても、はみ出したゴムが溝３０で形成された突条模様によって目立ちにくくなり、外観品位を低下させることがない。
【００５４】
なお、溝３０の断面形状は、任意の形状とすることができるが、上記した三角形状、矩形状、Ｕ字状、半円状など断面形状が第１隙間２９ａに向かうほど（下方に向かうほど）細くなる形状であることが好ましい。
【００５５】
また、この実施形態では、第１隙間２９ａと重なるように溝３０を設ける場合について説明したが、第１隙間２９ａに代えて、あるいは第１隙間２９ａとともに、第２隙間２９ｂと重なるようにサイド成型面１５ａに溝を設けても良い。
（第３実施形態）
図１１及び図１２に基づいて本発明の第３実施形態について説明する。なお、上記の第１及び第２実施形態と同一の構成には同一符号を付し、詳細な説明を省略する。
【００５６】
本実施形態では、サイド成型面１５ａにサイドモールド本体２１とピース２３との間に形成された隙間２９の近傍に隙間２９に対して平行に延びる複数の凹溝３２が設けられている。複数の凹溝３２は、サイド成型面１５ａの少なくとも一部分に互いに平行に設けられ、タイヤのサイドウォール部に線状の装飾模様を成型する。本実施形態では、複数の凹溝３２は、凹部２５の径方向内壁面２５ｃとピース２３の側壁２３ａとの間に形成された第１隙間２９ａに対して平行に設けられている。
【００５７】
本実施形態によれば、タイヤのサイドウォール部に線状の装飾模様を成型する凹溝３２が、サイドモールド本体２１とピース２３との間に形成された第１隙間２９ａの近傍に第１隙間２９ａに対して平行に設けられているため、隙間２９にゴムがはみ出すことがあっても、はみ出したゴムが凹溝３２により形成された装飾模様によって目立ちにくくなり、外観品位を低下させることがない。
【００５８】
なお、本実施形態では、サイドウォール部に線状の装飾模様を成型する模様成型部として複数の凹溝３２を、サイド成型面１５ａの第１隙間２９ａの近傍に第１隙間２９ａに対して平行に設ける場合について説明したが、複数の凹溝３２に代えて、１つの凹溝や、１又は複数の突条や、あるいは、文字や図形の線状部分を、第１隙間２９ａの近傍に第１隙間２９ａに対して平行に設けても良い。また、１つ又は複数の凹溝や、１又は複数の突条や、あるいは、文字や図形の線状部分を、第２隙間２９ｂの近傍に第２隙間２９ｂに対して平行に設けても良い。
（第４実施形態）
本発明の第４実施形態について説明する。なお、上記の第１〜第３実施形態と同一の構成については、詳細な説明を省略する。
【００５９】
上記した第１〜第３実施形態では、ピース２３のタイヤ周方向の長さが、いずれも同一である場合について説明したが、タイヤ周方向の長さが異なる複数種類のピース２３が存在してもよい。
【００６０】
このような本実施形態では、ピース２３と凸部２６との間に形成される隙間２９の配置の自由度が高くなるため、タイヤのサイドウォール部に文字や図形などの模様を形成する模様成型部をサイド成型面１５ａに設ける場合に、隙間２９によって模様成型部が分断されにくくなる。
（第５実施形態）
本発明の第５実施形態について説明する。なお、上記の第１〜第４実施形態と同一の構成については、詳細な説明を省略する。
【００６１】
本実施形態では、サイドモールド本体２１の凹部２５には、所定のピース２３のみと嵌合し、他のピース２３とは嵌合しない凹凸形状からなる誤装着防止形状が設けられている。
【００６２】
このような本実施形態では、複数のピース２３を所定の凹部２５に嵌め入れることができ、ピース２３の誤装着を防止することができる。
（第６実施形態）
本発明の第６実施形態について説明する。なお、上記の第１〜第５実施形態と同一の構成については、詳細な説明を省略する。
【００６３】
上記した第１〜第５実施形態では、スリット２７を凹部２５の径方向内壁面２５ｃ、２５ｃに沿わせてタイヤ径方向に設け、スリット２７を第１隙間２９ａと上下に重ねたが、このスリット２７に代えて、あるいは、このスリット２７とともに、第２隙間２９ｂと上下に重なるように凹部２５の外側内壁面２５ａに沿わせてタイヤ周方向にサイドモールド本体２１の基部２４を貫通するスリットを設けてもよい。その際、第２隙間２９ｂと上下に重なるように設けたスリットは、第２隙間２９ｂに沿った方向の長さが凹部２５より長く設けても良い。
（その他の実施形態）
第１〜第６実施形態では、凹部２５の径方向内壁面２５ｃ、２５ｃとピース２３の側壁２３ａとの間に形成される第１隙間２９ａがタイヤ径方向に一致して直線状に延び、凹部２５の外側内壁面２５ａとピース２３の外周壁２３ｂとの間に形成される第２隙間２９ｂがタイヤ周方向に一致する円弧状に延びるタイヤ加硫金型１０について示したが、本発明はこれに限定されない。例えば、第１隙間２９ａが、タイヤ径方向に対して傾いた方向に直線状に延びたり、あるいは、タイヤ径方向内側から外側へ曲線状に延びても良い。また、第２隙間２９ｂが、直線状、あるいは、らせん状に延びるなどタイヤ周方向からズレた方向に延びてもよい。
【００６４】
また、第１〜第６実施形態では、スリット２７を凹部２５の径方向内壁面２５ｃ、２５ｃに沿わせてタイヤ径方向に設け、スリット２７を第１隙間２９ａと上下に重ねたが、このスリット２７に代えて、あるいは、このスリット２７とともに、第２隙間２９ｂと上下に重なるように凹部２５の外側内壁面２５ａに沿わせてサイドモールド本体２１の基部２４を貫通するスリットを設けてもよい。
【００６５】
本発明のいくつかの実施形態について説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００６６】
１０…タイヤ加硫金型、１４…サイドモールド、１５…サイドモールド、１５ａ…サイド成型面、１７…ビードリング、１７ａ…ビード成型面、２１…サイドモールド本体、２３…ピース、２３ａ…側壁、２３ｂ…外周壁、２３ｃ…内周壁、２４…基部、２５…凹部、２５ａ…外側内壁面、２５ｂ…内側内壁面、２５ｃ…径方向内壁面、２５ｄ…曲面、２６…凸部、２７…スリット、２９…隙間、３０…溝、３２…凹溝、３４…環状突起、Ｔ…グリーンタイヤ
【図１】
0006741766.tif 000002
【図２】
0006741766.tif 000003
【図３】
0006741766.tif 000004
【図４】
0006741766.tif 000005
【図５】
0006741766.tif 000006
【図６】
0006741766.tif 000007
【図７】
0006741766.tif 000008
【図８】
0006741766.tif 000009
【図９】
0006741766.tif 000010
【図１０】
0006741766.tif 000011
【図１１】
0006741766.tif 000012
【図１２】
0006741766.tif 000013